(57)【要約】【課題】自己施錠状態が意図せずに解除されることなく、構成及び調整が簡単で、且つコストが安価となる引込み装置を提供すること。【解決手段】引込み装置において、案内部材１３は、引出し・引込み方向の所定の範囲が直線で、且つ引出し方向端部で略垂直下方に所定量屈曲する形状の２本の平行に配置された案内溝１３ａ、１３ｂを具備し、係合部材は摺動ピン１２ｄ、１２ｅを具備し、引出し方向の移動により、摺動ピン１２ｄ、１２ｅは案内溝１３ａ、１３ｂに沿って摺動し、引出し方向端部で所定量下降して係合部材１２と駆動部材１１の係合が解除されると共に、該係合部材１２はロックされ、移動レールの引込み方向の移動による自動引込み位置で駆動部材１１と係合部材１２が係合し、ロックが解除される。【選択図】図２
2004316412.tif 000002
【特許請求の範囲】
【請求項１】
固定体と、該固定体に一方の移動終端位置から他方の移動終端位置まで移動自在に支持された移動体を具備し、該移動体が前記一方の移動終端位置又は他方の移動終端位置に向かって移動し該一方の移動終端位置又は他方の移動終端位置から所定距離離れた自動引込み位置に達したら自動的に該一方の移動終端位置又は他方の移動終端位置まで引込む引込み装置において、
前記移動体側又は固定体側に取付けた駆動部材と、該駆動部材に係合する係合部材と、該係合部材を案内する案内部材と、該係合部材を前記引込み方向に付勢する付勢部材を具備し、
前記案内部材は、前記移動体が引込み終端と前記自動引込み位置の間を移動する間、前記係合部材を所定の範囲で案内する案内溝を具備し、
前記案内溝は前記所定の範囲が直線で、且つ引出し方向端部で略垂直下方に所定量屈曲する形状の２本の平行に配置された案内溝であり、前記係合部材には該２本の案内溝のそれぞれに沿って摺動する２本の摺動ピンを具備し、
前記移動体の引出し方向の移動により、前記係合部材の２本の摺動ピンは前記２本の案内溝に沿って摺動し、該案内溝の引出し方向端部で所定量下降して前記係合部材と前記駆動部材の係合が解除されると共に、該係合部材はロックされ、前記移動体の引込み方向の移動による前記自動引込み位置で前記駆動部材と前記係合部材が係合し、前記係合部材のロックが解除されるように構成されていることを特徴とする引込み装置。
【請求項２】
固定体と、該固定体に一方の移動終端位置から他方の移動終端位置まで移動自在に支持された移動体を具備し、該移動体が前記一方の移動終端位置又は他方の移動終端位置に向かって移動し該一方の移動終端位置又は他方の移動終端位置から所定距離離れた自動引込み位置に達したら自動的に該一方の移動終端位置又は他方の移動終端位置まで引込む引込み装置において、
前記移動体側又は固定体側に取付けた駆動部材と、該駆動部材に係合する係合部材と、該係合部材が係合するスライド部材と、該スライド部材を案内する案内部材と、該スライド部材を前記引込み方向に付勢する付勢部材を具備し、
前記案内部材は、前記移動体が引込み終端と前記自動引込み位置の間を移動する間、前記係合部材を所定の範囲で案内する案内溝を具備し、
前記案内溝は前記引出し・引込み方向の所定の範囲が直線で、且つ引出し方向端部で略垂直下方に所定量屈曲する形状の案内溝であり、前記係合部材及び前記スライド部材はそれぞれ該案内溝に沿って摺動する摺動ピンを具備し、
前記スライド部材には前記係合部材が略上下方向に摺動する摺動溝が形成され、
前記移動体の引出し方向の移動により、前記スライド部材及び前記係合部材の摺動ピンは前記案内溝に沿って摺動し、該案内溝の引出し方向端部で前記係合部材の摺動ピンは所定量下降すると共に、該係合部材は前記摺動溝を介してスライド部材に対して所定量下降して前記係合部材と前記駆動部材の係合が解除されると共に、該係合部材はロックされ、前記移動体の引込み方向の移動による前記自動引込み位置で前記駆動部材と前記係合部材が係合し、前記係合部材のロックが解除されるように構成されていることを特徴とする引込み装置。
【請求項３】
装置本体に対して引出し・引込み自在の引出し部を具備する引出し装置において、
前記請求項１又は２に記載の引込み装置を具備し、該引込み装置の固定体を装置本体側に取り付けると共に、該移動体を引出し部側に取り付け、更に前記案内部材を前記装置本体側又は引出し部側に取り付けたことを特徴とする引出し装置。
【請求項４】
固定側に固定された固定体と、該固定体に引出し・引込み自在に支持される移動体と、該移動体に支持された引き戸を具備する引き戸装置において、
前記請求項１又は２に記載の引込み装置を具備し、該引込み装置の固定体を前記固定側又は引き戸側に取り付けると共に、該移動体を該引き戸側又は固定側に取り付けたことを特徴とする引き戸装置。
【発明の詳細な説明】
【技術分野】
【０００１】
本発明は引出し装置や引き戸装置等のように、固定体と、該固定体に所定の移動範囲で移動自在に支持された移動体を具備し、該移動体が一方の移動終端位置又は他方の移動終端位置から他方の移動終端位置方向又は一方の移動終端位置方向に移動し、該他方の移動終端位置又は一方の移動終端位置から所定距離離れた自動引込み位置に達したら自動的に他方の移動終端位置又は一方の移動終端位置（引込み終端位置）まで引込む引込み装置及びこの引込み装置を用いた引出し装置及び引き戸装置に関するものである。
【背景技術】
【０００２】
従来この種の引込み装置としては、特許文献１に開示された引出し用閉止装置がある。該引出し用閉止装置は、該引出しに固着される支持レール、及び該支持レール又はそれらの間に取り付けられる複数の負荷伝達レール等からなる引出し用閉止装置であって、図１（ａ）、（ｂ）に示すように、家具本体に取り付けられ且つ引出しに取り付けられたバネ１０１及び駆動ピン１０２によって作用される傾斜部分１０３からなり、該傾斜部分１０３が溝等によって形成され前方の弓形部分１０４と、該弓形部分１０４に隣接する真っ直ぐな部分１０５からなる案内トラック１０６に沿って案内され、傾斜部分１０３が自己施錠方法において弓形部分１０４に保持されるように構成されたものである。なお、１０７、１０７は傾斜部分１０３に固定され、弓形部分１０４に沿って摺動するボルトである。
【特許文献１】特公平５−２３７６３号公報
【発明の開示】
【発明が解決しようとする課題】
【０００３】
上記特許文献１に開示された引出し用閉止装置は、傾斜部分１０３は案内トラック１０６の前方弓形部分１０４に自己施錠される構成となっているため、この自己施錠状態が解除され易く、意図せず傾斜部分１０３がバネ１０１に引込まれてしまうおそれがあり、復旧機構を設ける必要があった。そのため装置構成が複雑で、且つコスト高になるという問題があった。また、自己施錠を奏させるためには、バネ１０１の端部の傾斜部分１０３への取り付け位置も重要となり（取り付け位置によっては自己施錠が不可能になったり、自己施錠が解除し易くなる）そのため調整が複雑となる問題がある。
【０００４】
本発明は上述の点に鑑みて、自己施錠状態が意図せずに解除されることなく、構成及び調整が簡単で、且つコストが安価となる引込み装置、引出し装置及び引き戸装置を提供することを目的とする。
【課題を解決するための手段】
【０００５】
上記課題を解決するため請求項１に記載の発明は、固定体と、該固定体に一方の移動終端位置から他方の移動終端位置まで移動自在に支持された移動体を具備し、該移動体が一方の移動終端位置又は他方の移動終端位置に向かって移動し該一方の移動終端位置又は他方の移動終端位置から所定距離離れた自動引込み位置に達したら自動的に該一方の移動終端位置又は他方の移動終端位置まで引込む引込み装置において、移動体側又は固定体側に取付けた駆動部材と、該駆動部材に係合する係合部材と、該係合部材を案内する案内部材と、該係合部材を前記引込み方向に付勢する付勢部材を具備し、案内部材は、移動体が引込み終端と自動引込み位置の間を移動する間、係合部材を引出し・引込み方向の所定の範囲で案内する案内溝を具備し、案内溝は引出し・引込み方向の所定の範囲が直線で、且つ引出し方向端部で略垂直下方に所定量屈曲する形状の２本の平行に配置された案内溝であり、係合部材には該２本の案内溝のそれぞれに沿って摺動する２本の摺動ピンを具備し、移動体の引出し方向の移動により、係合部材の２本の摺動ピンは２本の案内溝に沿って摺動し、該案内溝の引出し方向端部で所定量下降して係合部材と駆動部材の係合が解除されると共に、該係合部材はロックされ、移動体の引込み方向の移動による自動引込み位置で駆動部材と係合部材が係合し、係合部材のロックが解除されるように構成されていることを特徴とする。なお、ここで移動体側又は固定体側に取付けるとは、移動体又は固定体自体に取付けること、移動体又は固定体に間接的に取付けることを意味する。
【０００６】
請求項２に記載の発明は、固定体と、該固定体に一方の移動終端位置から他方の移動終端位置まで移動自在に支持された移動体を具備し、該移動体が前記一方の移動終端位置又は他方の移動終端位置に向かって移動し該一方の移動終端位置又は他方の移動終端位置から所定距離離れた自動引込み位置に達したら自動的に該一方の移動終端位置又は他方の移動終端位置まで引込む引込み装置において、移動体側又は固定体側に取付けた駆動部材と、該駆動部材に係合する係合部材と、該係合部材が係合するスライド部材と、該スライド部材を案内する案内部材と、該スライド部材を前記引込み方向に付勢する付勢部材を具備し、案内部材は、移動体が引込み終端と自動引込み位置の間を移動する間、スライド部材を引出し・引込み方向の所定の範囲で案内する案内溝を具備し、案内溝は引出し・引込み方向の所定の範囲が直線で、且つ引出し方向端部で略垂直下方に所定量屈曲する形状の案内溝であり、係合部材及びスライド部材はそれぞれ該案内溝に沿って摺動する摺動ピンを具備し、スライド部材には係合部材が略上下方向に摺動する摺動溝が形成され、移動体の引出し方向の移動により、スライド部材及び係合部材の摺動ピンは案内溝に沿って摺動し、該案内溝の引出し方向端部で係合部材の摺動ピンは所定量下降すると共に、該係合部材は摺動溝を介してスライド部材に対して所定量下降して係合部材と駆動部材の係合が解除されると共に、該係合部材はロックされ、移動体の引込み方向の移動による自動引込み位置で駆動部材と係合部材が係合し、係合部材のロックが解除されるように構成されていることを特徴とする。なお、ここで移動体側又は固定体側に取付けるとは、上記と同様、移動体又は固定体自体に取付けること、移動体又は固定体に間接的に取付けることを意味する。
【０００７】
請求項３に記載の発明は、装置本体に対して引出し・引込み自在の引出し部を具備する引出し装置において、請求項１又は２に記載の引込み装置を具備し、該引込み装置の固定体を装置本体側に取り付けると共に、該移動体を引出し部側に取り付け、更に案内部材を装置本体側又は引出し部側に取り付けたことを特徴とする。なお、ここで装置本体側又は引出し部側に取り付けるとは、装置本体又は引出し部自体に取付けること、装置本体又は引出し部に間接的に取付けることを意味する。
【０００８】
請求項４に記載の発明は、固定側に固定された固定体と、該固定体に引出し・引込み自在に支持される移動体と、該移動体に支持された引き戸を具備する引き戸装置において、請求項１又は２に記載の引込み装置を具備し、該引込み装置の固定体を固定側又は引き戸側に取り付けると共に、該移動体を該引き戸側又は固定側に取り付けたことを特徴とする。なお、固定側又は引き戸側に取り付けるとは、固定側又は引き戸自体に取付けること、固定側又は引き戸に間接的に取付けることを意味する。
【発明の効果】
【０００９】
以上説明したように各請求項に記載の発明によれば下記のような優れた効果が得られる。
【００１０】
請求項１に記載の発明によれば、移動体側又は固定体側に取付けられた駆動部材と、駆動部材に係合する係合部材と、係合部材を案内する案内部材と、該係合部材を引込み方向に付勢する付勢部材を具備し、移動レールの引出し方向の移動により、係合部材が案内溝の引出し方向端部で所定量略垂直方向に下降して係合部材と駆動部材の係合が解除されると共に、該係合部材がロックされる構成となっているので、係合部材が意図せずに引込まれることがない。従って復旧機構を設ける必要がなく、装置全体の構成が簡単となる。また、係合部材は２本の摺動ピンを介して案内部材の平行に配置された２本の案内溝を摺動するので、係合部材の摺動が安定し、引込み装置の動作が安定する。
【００１１】
請求項２に記載の発明によれば、移動体側又は固定体側に取り付けた駆動部材と、該駆動部材に係合する係合部材と、該係合部材が係合するスライド部材と、該スライド部材を案内する案内部材と、該スライド部材を引込み方向に付勢する付勢部材を具備し、移動体の引出し方向の移動により、スライド部材及び係合部材は案内部材の案内溝に沿って摺動し、引出し方向端部で係合部材がスライド部材に対して所定量略垂直方向に下降して係合部材と駆動部材の係合が解除されると共に、係合部材がロックされる構成となっているので、係合部材が意図せずに引込まれることがない。また、付勢部材で引込み方向に付勢されているスライド部材は案内部材の案内溝を引出し・引込み方向にのみ摺動するから、付勢部材の上下方向又は横方向の振れがないので装置をコンパクトに構成できる。また、このためスライドレールのような幅の狭い案内装置に組み付けるのに好適である。
【００１２】
請求項３に記載の発明によれば、引出し装置に請求項１又は２に記載の引込み装置を設けるので、引出し部を自動引込み位置にまで引込んだ（押込んだ）場合、引出し部が自動的に引込み終端まで引込まれる動作が安定して行われる。
【００１３】
請求項４に記載の発明によれば、引き戸装置に請求項１又は２に記載の引込み装置を設けるので、引き戸が所定の閉止又は開放位置まで引込まれたとき、自動的に引込み終端、即ち閉止終端又は開放終端まで自動的に引込まれる動作が安定して行われる。
【発明を実施するための最良の形態】
【００１４】
以下、本発明の実施の形態例を図面に基づいて説明する。図２及び図３は本発明に係るスライドレールの引込み装置の構成及び動作を示す図である。引込み装置１０は図示しない移動レール（後に詳述）と連動して移動する駆動部材１１と、該駆動部材１１に係合する係合部材１２と、該係合部材１２を案内する案内部材１３と、該係合部材１２を引込み方向（矢印Ｂ）に付勢する付勢部材としてのコイルバネ１４を具備する。
【００１５】
係合部材１２は板状体で、上部に駆動部材１１が係合する係合溝部１２ａが形成され、該係合溝部１２ａを挟んで引込み側（矢印Ｂ側）には所定高さ寸法の突起部１２ｂが設けられ、引出し側（矢印Ａ側）には該突起部１２ｂより所定量高さ寸法が小さい突起部１２ｃが設けられている。また、係合溝部１２ａは上部から下方に向かって引込み側（矢印Ｂ側）に所定角度傾斜した状態で設けられている。また、係合部材１２には２本の断面円形の摺動ピン１２ｄ、１２ｅが設けられている。摺動ピン１２ｄ、１２ｅの径は、案内部材１３の案内溝１３ａ、１３ｂの幅寸法より若干小さくなっている（摺動ピン１２ｄ、１２ｅが案内溝１３ａ、１３ｂをスムーズに摺動できる程度）。
【００１６】
案内部材１３は、図示しない移動レール（後に詳述）が引込み終端と自動引込み位置の間を移動する間、係合部材１２を引出し・引込み方向（矢印Ａ、Ｂ方向）の所定の範囲Ｌ内で案内する２本の案内溝１３ａ、１３ｂを具備する。該案内溝１３ａ、１３ｂはそれぞれ引出し・引込み方向の所定の範囲Ｌ、Ｌが直線で、且つ引出し方向端部で略垂直下方に所定量に屈曲する形状の２本の案内溝である。係合部材１２の２本の摺動ピン１２ｄ、１２ｅはそれぞれ案内部材１３の案内溝１３ａ、１３ｂに挿入され、該案内溝１３ａ、１３ｂに沿って摺動するようになっている。また、付勢部材としてのコイルバネ１４はその一端が案内部材１３（固定側）に取り付けられ、他端は係合部材１２に取り付けられている。
【００１７】
上記構成の引込み装置１０において、図示しない移動レールを引出し方向（矢印Ａ方向）に移動する（引出す）ことにより、該移動レールに連動する駆動部材１１も引出し方向に移動する。これにより、係合部材１２の突起部１２ｃが駆動部材１１に押され、係合部材１２はその摺動ピン１２ｄ、１２ｅが案内部材１３の案内溝１３ａ、１３ｂに沿って引出し方向に摺動するのに案内され移動する。該摺動ピン１２ｄ、１２ｅが案内溝１３ａ、１３ｂの引出し方向端部に達すると、各摺動ピン１２ｄ、１２ｅは該案内溝１３ａ、１３ｂの略垂直下方に屈曲した部分に達する。
【００１８】
このとき、駆動部材１１は係合部材１２の突起部１２ｃの傾斜面を水平方向に力Ｆ1で押しているから、係合部材１２には下方に向かう分力Ｆ2が作用すると共に、その重量により、摺動ピン１２ｄ、１２ｅが案内溝１３ａ、１３ｂに沿って下降する。そして図２（ｃ）の状態に達すると、駆動部材１１は突起部１２ｃから離脱して、引出し方向に移動する。この時、係合部材１２はコイルバネ１４の弾性力で引込み方向に引かれているから、摺動ピン１２ｄ、１２ｅは案内溝１３ａ、１３ｂの垂直下降面に当接し、ロックされる。この時摺動ピン１２ｄ、１２ｅは案内溝１３ａ、１３ｂの垂直下降面に当接しているから、ロック状態は安定し、意図せずに引込まれることはない。
【００１９】
移動レールを引出し状態から引込み方向（矢印Ｂ方向）に移動することにより、駆動部材１１も引込み方向に移動し、図３（ａ）の状態を経て、図３（ｂ）の状態に達し、更に係合部材１２の突起部１２ｂの傾斜面を引込み方向に力Ｆ4で押すと、係合部材１２に押し上げる分力Ｆ3が作用し、係合部材１２は上方に押し上げられ、摺動ピン１２ｄ、１２ｅが案内部材１３の案内溝１３ａ、１３ｂの水平部分（直線部分）に達すると係合部材１２のロックが解除され、係合部材１２はコイルバネ１４の弾性力で引込み方向に引かれ、図３（ｃ）に示すように引込み終端まで自動的に引込まれる。
【００２０】
図４乃至図６は図２及び図３に示す構成の引込み装置をスライドレールに設けてスライドレールの引込み装置とした構成例を示す図で、図４は外観斜視図、図５は一部の側面図、図６は図５のＣ−Ｃ断面斜視図である。図示するように、スライドレール２０は内側レール２１と外側レール２２を具備する構成である。内側レール２１を固定レールとしても良いし移動レールとしてもよい。又外側レール２１を移動レールとしても良いし固定レールとしてもよい。ここでは説明の便宜上、外側レール２２を移動レール、内側レール２１を固定レールとしている。外側レール２２は内側レール２１に引出し・引込み自在に支持されている。即ち、断面略Ｃ字状の内側レール２１はその開口部が外側レール２２の開口部に対向するように収容され、外側レール２２の内周面と内側レール２１の外周面の間にリテーナ２３に保持された多数のボール２４が介在し、外側レール２２は内側レール２１に長手方向（引出し・引込み方向）に摺動自在に支持されている。
【００２１】
固定レールとなる断面略Ｃ字状の内側レール２１の開口部に引込み装置１０の案内部材１３が固定され、引込み装置１０の駆動部材１１は移動レールとなる断面略Ｃ字状の外側レール２２の開口面に内側レール２１側に突出して設けられている。図４及び図５は移動レールである外側レール２２を引出し方向（図２の矢印Ａ方向）に引出した状態を示す。この状態では、引込み装置１０の係合部材１２は図２（ｃ）に示すように、その摺動ピン１２ｄ、１２ｅが案内部材１３の案内溝１３ａ、１３ｂの垂直下降した部分の面にコイルバネ１４の弾性力により引かれ当接してロック状態にある。なお、図示は省略するが、駆動部材１１を内側レール２１に設け、案内部材１３を外側レール２２に取付けてもよい。
【００２２】
上記状態から、移動レールとなる外側レール２２を引込み方向（矢印Ｂ方向）に押込むと、駆動部材１１も引込み方向に移動し、図３（ａ）の状態から、図３（ｂ）の状態に達すると、係合部材１２は上方に押し上げられ、その摺動ピン１２ｄ、１２ｅが案内部材１３の案内溝１３ａ、１３ｂの水平部分（直線部分）に達すると、係合部材１２はコイルバネ１４の弾性力で引込み方向に引かれ、図３（ｃ）に示すように引込み終端まで自動的に引込まれる。
【００２３】
図７は本発明に係るスライドレールの引込み装置の他の構成例を示す図で、図８及び図９はその動作を説明するための図である。引込み装置３０は図示しない移動レールと連動して移動する駆動部材３１と、該駆動部材３１に係合する係合部材３２と、該係合部材３２が係合するスライド部材３３と、該スライド部材３３を案内する案内部材３４と、該スライド部材３３を引込み方向（矢印Ｂ方向）に付勢する付勢部材としてのコイルバネ３５を具備する構成である。
【００２４】
係合部材３２は板状体で、上部に駆動部材３１が係合する係合溝部３２ａが形成され、該係合溝部３２ａを挟んで引込み側（矢印Ｂ側）には所定高さ寸法の突起部３２ｂが設けられ、引出し側（矢印Ａ側）には該突起部３２ｂより高さ寸法が所定量小さい突起部３２ｃが設けられている。また、係合溝部３２ａは上部から下方に向かって引込み側（矢印Ｂ側）に所定角度傾斜した状態で設けられている。
【００２５】
案内部材３４は、移動レールが引込み終端と自動引込み位置の間を移動する間で、スライド部材３３を引出し・引込み方向（矢印Ａ、Ｂの方向）の所定の範囲に案内する１本の案内溝３４ａを具備する。該案内溝３４ａは引出し・引込み方向の所定の範囲が直線で、且つ引出し方向端部で略垂直下方に所定量に屈曲する形状の案内溝である。係合部材３２、スライド部材３３はそれぞれ案内溝３４ａに沿って摺動する摺動ピン３２ｄ、摺動ピン３３ａを具備する。摺動ピン３２ｄは断面が円形状でその直径は案内溝３４ａの幅寸法より若干小さく（スムーズに摺動できる分）形成され、摺動ピン３３ａは断面矩形状でその幅は案内溝３４ａの幅寸法より若干小さく（スムーズに摺動できる分）形成されている。スライド部材３３は係合部材３２が略上下方向に摺動する摺動溝３３ｂを具備する。
【００２６】
上記構成の引込み装置３０において、図示しない移動レールを引出し方向に移動する（引出す）ことにより、該移動レールに連動する駆動部材３１も図８（ａ）に示すように、引出し方向（矢印Ａ方向）に移動する。これにより、係合部材３２の突起部３２ｃが駆動部材３１に押され、係合部材３２はその摺動ピン３２ｄがスライド部材３３の案内溝３４ａに沿って引出し方向に移動するのに案内されて移動すると共に、該係合部材３２が上記摺動溝３３ｂを介して係合するスライド部材３３もその摺動ピン３３ａが案内溝３４ａに沿って引出し方向に移動するのに案内されて移動する。係合部材３２の摺動ピン３２ｄが図８（ｂ）に示すように、案内溝３４ａの引出し方向端部に達すると、摺動ピン３２ｄは該案内溝３４ａの略垂直下方に屈曲した部分に達する。
【００２７】
このとき、駆動部材３１は係合部材３２の突起部３２ｃの傾斜面を引出し方向に力Ｆ1で押しているから、係合部材３２には下方に向かう分力Ｆ2が作用すると共に、その重量により、摺動ピン３２ｄが案内溝３４ａに沿って下降する。そして図８（ｃ）の状態に達すると、駆動部材３１は突起部３２ｃから離脱して、引出し方向に移動する。この時スライド部材３３はコイルバネ３５（図７参照）の弾性力で引込み方向（矢印Ｂ方向）に引かれているから、該スライド部材３３に摺動溝３３ｂを介して係合する係合部材３２の摺動ピン３２ｄは案内溝３４ａの垂直下降面に当接し、ロックされる。この時スライド部材３３は案内溝３４ａの直線部分を移動するのみであるからコイルバネ３５は上下方向に振れることはないから、その分引込み装置をコンパクトに構成でき、スライドレールのような幅が狭い案内装置に組み付けるのに好適な構成となる。
【００２８】
図８（ｃ）に示すように、係合部材３２がロック位置にある状態で、移動レールを引込み方向（矢印Ｂ方向）に移動した場合、駆動部材３１が図９（ａ）の状態に達し、更に係合部材３２の突起部３２ｂの傾斜面を引込み方向に力Ｆ4で押すと、係合部材３２に押し上げる分力Ｆ3が作用し、係合部材３２は上方に押し上げられ、摺動ピン３２ｄが案内部材３４の案内溝３４ａの水平部分（直線部分）に達すると、スライド部材３３はコイルバネ３５の弾性力で引込み方向に引かれ、図９（ｃ）に示すように引込み終端まで自動的に引込まれる。
【００２９】
上記構成の引込み装置３０も、図４乃至図６に示す構成のスライドレールの引込み装置１０に替えて取り付けることにより、図４乃至図６に示すスライドレール２０の引込み装置と同一の作用効果を奏する。また、引込み装置３０の場合は、上記のようにスライド部材３３が上下方向に移動することがないから、コイルバネ３５が上下方向に振れることがなく、装置をコンパクトに構成でき、幅の狭いスライドレールに取り付けるのに好適である。
【００３０】
なお、図示は省略するが、上記引込み装置１０又は引込み装置３０を取り付けたスライドレール２０に取り付けた構成のスライドレールの引込み装置を、家具等の引出し装置に引込み装置として使用する場合、固定レールである内側レール２１を装置本体側に取り付けると共に、該移動レールである外側レール２２を引出し部側に取り付け、更に案内部材１３又は案内部材３４を装置本体側に取り付ける。これにより、引出し部を引出した状態から所定の自動引込み位置まで押込んだ場合、引出し部は引込み終端まで引込まれることになる。しかも引込み装置１０及び引込み装置３０は上記のように意図せず引込まれることがないから、復旧機構も必要でなく装置全体の構成も簡単となる。
【００３１】
また、図示は省略するが、上記引込み装置１０又は引込み装置３０を取り付けたスライドレール２０に取り付けた構成のスライドレールの引込み装置を、建物の壁等の装置本体に対して引出し・引込み自在に取り付けた引き戸を具備する引き戸装置に使用する場合、固定レールである内側レール２１を固定側に取り付けると共に、該移動レールである外側レール２２を引き戸側に取り付け、更に案内部材１３又は案内部材３４を固定側に取り付ける。
【００３２】
上記のように引き戸装置にスライドレールの引込み装置を設けることにより、引き戸が所定の閉止又は開放位置まで引込まれたとき、自動的に引込み終端、即ち閉止終端又は開放終端まで引込まれる動作が安定して行われる引き戸装置となり、引き戸が半閉じ状態及び半開き状態で放置されることを防止できる。
【００３３】
なお、上記実施例では引込み装置を、固定レールと、該固定レールに引出し、引込み自在に支持された移動レールを具備するスライドレールの引込み装置を例に説明したが、本発明に係る引込み装置はこれに限定されるものではなく、要は固定体と、該固定体に一方の移動終端位置から他方の移動終端位置まで移動自在に支持された移動体を具備するものの引込み装置として広く利用できる。
【００３４】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造や材質であっても、本願発明の作用・効果を奏する以上、本願発明の技術的思想の範囲内である。
【図面の簡単な説明】
【００３５】
【図１】従来の引出し用閉止装置の構成を示す図である。
【図２】本発明に係る引込み装置の構成例及び動作を示す図である。
【図３】本発明に係る引込み装置の構成例及び動作を示す図である。
【図４】本発明に係るスライドレールの引込み装置の構成例を示す外観斜視図である。
【図５】本発明に係るスライドレールの引込み装置の構成例の一部を示す側面図である。
【図６】図５のＣ−Ｃ断面図である。
【図７】本発明に係る引込み装置の構成例を示す図である。
【図８】本発明に係る引込み装置の動作を示す図である。
【図９】本発明に係る引込み装置の動作を示す図である。
【符号の説明】
【００３６】
１０            引込み装置
１１            駆動部材
１２            係合部材
１３            案内部材
１４            コイルバネ
２０            スライドレール
２１            内側レール
２２            外側レール
２３            リテーナ
２４            ボール
３０            引込み装置
３１            駆動部材
３２            係合部材
３３            スライド部材
３４            案内部材
３５            コイルバネ
【図１】
2004316412.tif 000003
【図２】
2004316412.tif 000004
【図３】
2004316412.tif 000005
【図４】
2004316412.tif 000006
【図５】
2004316412.tif 000007
【図６】
2004316412.tif 000008
【図７】
2004316412.tif 000009
【図８】
2004316412.tif 000010
【図９】
2004316412.tif 000011